(57)【要約】【課題】  りん部の振動が阻害されることなく周囲に万遍なく音が広がり、また凹面内部の煩わしい作業や清掃が必要なく、小型化が可能な仏りんを提供する。【解決手段】  開放部を下方に向けた椀形のりん部と、該りん部の凹部中心を接触支持する支持部材と、該支持部材が垂設される支持台と、からなり、前記支持部材は揺動可能な弾性体である。【選択図】      図１
2012030132.tif 000002
【特許請求の範囲】
【請求項１】
開放部を下方に向けた椀形のりん部（１）と、該りん部（１）の凹部中心を接触支持する支持部材（２）と、該支持部材（２）が垂設される支持台（３）と、からなり、
前記支持部材（２）は揺動可能な弾性体であることを特徴とする仏りん。
【請求項２】
開放部を下方に向けた椀形のりん部（１）と、該りん部（１）の凹部中心を接触支持する支持部材（２）と、該支持部材（２）が垂設される支持台（３）と、からなり、
前記支持部材（２）は硬直した柱体であって、
前記りん部（１）と前記支持部材（２）とが弾性体を介して支持されることを特徴とする仏りん。
【発明の詳細な説明】
【技術分野】
【０００１】
本発明は、葬祭用具であって仏壇や祭壇あるいは墓前等で使用する仏りんに関するものである。
【背景技術】
【０００２】
葬祭用具である仏りんは通常椀形をしており、凹面である開放部を上方に向け、下部を座布団や支持台により支持して使用する。しかし、りん部と座布団や支持台との接触面積が大きいとりん部の振動を制限し音の響きが悪くなるという問題があり、それを解決するため、文献１及び２においてりん部と支持台との連結方法の工夫が提案されている。また、文献３において水抜き孔を有する屋外設置用の仏りんが提案されている。
【特許文献１】登録実用新案第３０５４６０７号公報
【特許文献２】特開平８−２０５９８９号公報
【特許文献３】特開２００１−５７９３７号公報
【発明の開示】
【発明が解決しようとする課題】
【０００３】
しかしながら、仏りんの音は開放部の向いた方向に広がるため、高い位置に設置した場合下方への音の広がりが少なく音がきれいに響かないという点が問題であった。
また、りん部と支持台とが連結されている仏りんの多くは凹部内面に連結機構又はその一部を有し、特に小さい仏りんの場合連結の作業がしづらいという点も問題であった。
さらに、仏りんの開放部が上向きであるため凹面内部にほこり等がたまりやすく、前述の水抜き孔にも落葉等が詰まって水が抜けにくくなるという懸念があった。
また、支持台と連結された仏りんは座布団を敷くものと比べて現代的なデザインが可能であるが、好適な音の高さを維持するためりん部の小型化に限界があり、りん部と支持台を合わせた仏りん全体としての小型化が困難であった。そのため、昨今の住宅事情により普及している小型の仏壇において、そこに飾る花器や香炉等の仏具と比べて仏りんが大きくバランスが取れないという点も問題であった。
【０００４】
本発明は、りん部の振動が阻害されることなく周囲に万遍なく音が広がり、また凹面内部の煩わしい作業や清掃が必要なく、小型化が可能な仏りんを提供することを目的とする。
【課題を解決するための手段】
【０００５】
本発明のうち請求項１記載の発明は、開放部を下方に向けた椀形のりん部と、該りん部の凹部中心を接触支持する支持部材と、該支持部材が垂設される支持台と、からなり、前記支持部材は揺動可能な弾性体であることを特徴とする。
【０００６】
本発明のうち請求項２記載の発明は、開放部を下方に向けた椀形のりん部と、該りん部の凹部中心を接触支持する支持部材と、該支持部材が垂設される支持台と、からなり、前記支持部材は硬直した柱体であって、前記りん部と前記支持部材とが弾性体を介して支持されることを特徴とする。
【発明の効果】
【０００７】
本発明のうち請求項１記載の発明によれば、椀形のりん部の開放部を下方に向けることで、下面に音の広がりを持たせることができる。よって、仏りんが高い位置に設置される場合でも良く音が響き、また低い位置に設置される場合は音が床面に反射するので通常の仏りんと変わらない音の響きが得られる。
また、りん部の開放部が下方を向き凸面が上方を向いていることから、ほこり等がたまりにくく、表面に汚れが付着した場合でも清掃が容易である。屋外に設置した場合も内部に水がたまることがなく、水抜き孔等を設ける必要もない。
さらに、支持部材がりん部の内側に位置することから仏りん全体の高さを低く構成することができ、他の仏具とのバランスを考慮したデザインが可能となった。
【０００８】
また別の効果として、りん部が自由に揺れ動くことから、りん棒で打った際には反動で打点の反対側に揺れ、良い打ち心地が得られると共に二度打ちを防ぐことができる。
さらに、りん部を回転させながら打ち鳴らすことにより、うなりが発生する。すなわち、りん部を回転させるとドップラー効果により、回転させない場合と比べて波長の長い音及び短い音が発生する。りん部の回転速度は音速に比べれば十分に遅いので、それらの音の波長の差は僅かであるから、それらの音が重なることによりうなりが発生する。回転の速度やりん部の傾きによってうなりは様々に変化させることができ、音の変化を楽しむことができる。
【０００９】
そして、支持部材を弾性体により構成することで、りん部を打ち鳴らした際に大きく揺動させることができその動きや音の変化を楽しむことができる。
【００１０】
本発明のうち請求項２記載の発明によれば、りん部と支持部材とがバネやゴム等の弾性体を介して支持されており、弾性体を交換して弾性を変えることで音色や打ち心地を様々に変化させることができる。
【発明を実施するための最良の形態】
【００１１】
本発明の仏りんの具体的な構成について、各図面に基づいて説明する。
【００１２】
本仏りんの第１実施形態は、図１に示すように、開放部を下方に向けた椀形のりん部１と、該りん部１の凹部中心を接触支持する支持部材２と、該支持部材２が垂設される支持台３と、からなる。支持部材２はコイルバネにより構成され、その両端には接合部材１５を有し、それぞれりん部１の凹部中心と支持台３の上面中心に螺着されている。支持部材２の素材はコイルバネの他、板バネ、針金、ゴム等揺動可能な弾性体であれば自由に選ぶことができる。また、支持部材２とりん部１及び支持台３とは、接合部材１５を介さず直接接合しても良いし、接合せず接触支持としても良い。そして、支持台３の上面は、りん部１が傾いた際に接触しないよう、凹形球面状となっている。りん部１や支持台３の材料は、通常仏りんに用いられる真鍮が音の響きや耐食性の面で適するが、その他好みの音色や質感に合わせて自由に選択できる。また、りん部１と支持台３とが同じ材料であっても異なる材料であっても良い。
【００１３】
図２は本発明の仏りんの第２実施形態を示す。本仏りんにおいては支持部材２の先端にゴム製の弾性体支持部２１を設置し、該弾性体支持部２１によりりん部１を支持している。弾性体支持部２１とりん部１及び支持部材２とは、接合されていても良いし、接触支持されていても良い。また、弾性体支持部２１の材料は、ゴムの他コイルバネや板バネなど弾性体の中から自由に選ぶことができる。
【００１４】
図３は本発明の仏りんの第３実施形態を示す。本仏りんにおいてはりん部１が頭頂部に貫通孔６１を有し、支持部材２の先端部が細くなり貫通軸部１４となっている。貫通孔６１の上下に弾性体であるゴム製のオーリング２２を設置し、オーリング２２と貫通孔６１を貫通軸部１４が貫通し、貫通軸部１４上部につまみ５１を螺着することで、りん部１がオーリング２２を介して支持部材２とつまみ５１とで挟まれる。オーリング２２の材質は弾性体であれば自由に選ぶことができ、弾性を変化させることで様々な音の響きや打ち心地を楽しむことができる。なお、このように、りん部１、支持部材２及び支持台３、つまみ５１をそれぞれ別部品にすることにより、素材から部品を加工する際の無駄を省き、加工コスト、材料コストを抑えることができる。
【図面の簡単な説明】
【００１５】
【図１】本発明の仏りんの第１実施形態を示す中心軸断面図である。
【図２】本発明の仏りんの第２実施形態を示す中心軸断面図である。
【図３】本発明の仏りんの第３実施形態を示す中心軸断面図である。
【符号の説明】
【００１６】
１  りん部
２  支持部材
３  支持台
【図１】
2012030132.tif 000003
【図２】
2012030132.tif 000004
【図３】
2012030132.tif 000005